(57)【要約】【課題】ミニディスクなどの記録媒体に記録されている多くのコンテンツから使用者の意図するコンテンツを容易に選択できるコンテンツリストを前記記録媒体に記録する情報記録装置や方法を提供する。【解決手段】コンテンツリスト管理部１０５ｃは、コンテンツをそのコンテンツが何れの光ディスク６００から入力されたものであるかに応じて分類し、そのコンテンツについてのコンテンツ選択情報（コンテンツが再生される際に、再生されるコンテンツを選択するために提示される情報）をコンテンツの分類ごとに設けられたコンテンツリストに含め、このコンテンツリストを記録媒体１０４に記録する。【選択図】図１
2006196145.tif 000002
【特許請求の範囲】
【請求項１】
コンテンツを記録媒体に記録する情報記録装置であって、
コンテンツを前記記録媒体に記録するコンテンツ記録手段と、
前記コンテンツが再生される際の選択のために提示されるコンテンツ選択情報を、前記コンテンツの分類に対応するコンテンツリストに含めて前記記録媒体に記録するコンテンツリスト記録手段と、
を備えていることを特徴とする情報記録装置。
【請求項２】
請求項１の情報記録装置であって、
さらに、ソース用記録媒体に記録されたコンテンツを読み取るコンテンツ読み取り手段を備え、
前記コンテンツリスト記録手段は、前記コンテンツ選択情報を、コンテンツが記録されていたソース用記録媒体に対応するコンテンツリストに含めて前記記録媒体に記録するように構成されていることを特徴とする情報記録装置。
【請求項３】
請求項１の情報記録装置であって、
前記コンテンツリスト記録手段は、入力されたコンテンツに付加されてコンテンツの属性を示す文字情報であるタグ情報に基づいて前記コンテンツ選択情報を、前記タグ情報によるコンテンツの分類に対応したコンテンツリストに含めて前記記録媒体に記録するように構成されていることを特徴とする情報記録装置。
【請求項４】
請求項３の情報記録装置であって、
前記コンテンツリスト記録手段は、前記コンテンツ選択情報を、コンテンツに付加された複数のタグ情報のうちの１つまたは２つ以上の組合せに応じて分類されたコンテンツの分類に対応するコンテンツリストに含めて前記記録媒体に記録するように構成されていることを特徴とする情報記録装置。
【請求項５】
請求項３の情報記録装置であって、
前記コンテンツ記録手段は、入力されたコンテンツのうち指定されたコンテンツリストに対応する分類のコンテンツを前記記録媒体に記録するように構成されていることを特徴とする情報記録装置。
【請求項６】
請求項１の情報記録装置であって、
前記コンテンツリスト記録手段は、
前記記録媒体に記録するコンテンツの分類に対応するコンテンツリストが前記記録媒体に既に記録されている場合には、前記記録媒体に記録するコンテンツについてのコンテンツ選択情報は、前記既に記録されているコンテンツリストに追加して記録する一方、その他の場合には、前記コンテンツ選択情報を新たなコンテンツリストに含めて記録するように構成されていることを特徴とする情報記録装置。
【請求項７】
請求項１の情報記録装置であって、
さらに、入力されたコンテンツを解析してそのコンテンツのジャンルを推定するジャンル推定手段を備え、
前記コンテンツリスト記録手段は、前記コンテンツ選択情報を、推定されたジャンルによるコンテンツの分類に対応したコンテンツリストに含めて前記記録媒体に記録するように構成されていることを特徴とする情報記録装置。
【請求項８】
請求項１の情報記録装置であって、
前記コンテンツリストは、使用者に応じた識別情報が対応付けられたものであって、
前記コンテンツリスト管理手段は、前記コンテンツが前記記録媒体に記録される際に、情報記録装置の外部から入力された識別情報とコンテンツリストに対応付けられた識別情報とが一致する場合は、前記コンテンツ選択情報がコンテンツリストに含めて記録され、一致しない場合は、新たなコンテンツリストに含めて記録されるように構成されていることを特徴とする情報記録装置。
【請求項９】
請求項１から請求項８のうちの何れか１項の情報記録装置であって、
さらに、文字情報を情報記録装置の外部から入力する文字情報入力手段と、
文字情報として前記コンテンツリストに含まれているコンテンツ選択情報、入力されたコンテンツのタグ情報、および前記記録媒体に記録されたコンテンツのタグ情報を前記文字情報入力手段から入力された文字情報に変更する情報変更手段と、
を備えていることを特徴とする情報記録装置。
【請求項１０】
コンテンツを記録媒体に記録する情報記録方法であって、
コンテンツを前記記録媒体に記録するコンテンツ記録ステップと、
前記コンテンツが再生される際の選択のために提示されるコンテンツ選択情報を、前記コンテンツの分類に対応するコンテンツリストに含めて前記記録媒体に記録するコンテンツリスト記録ステップと、
を備えていることを特徴とする情報記録方法。
【請求項１１】
複数のコンテンツが記録された記録媒体を再生する情報再生装置であって、
前記記録媒体は、前記コンテンツの分類と対応して設けられた複数のコンテンツリストが記録され、
それぞれのコンテンツリストは、対応する分類に含まれる１または２以上のコンテンツの選択のために提示されるコンテンツ選択情報を含んだものであり、
前記コンテンツリストに含まれるコンテンツ選択情報のなかから、使用者が指定した１または２以上のコンテンツ選択情報と一致または類似する情報を検索する選択情報検索手段と、
前記選択情報検索手段で検索されたコンテンツ選択情報に対応するコンテンツを再生するコンテンツ再生手段とを備え、
前記選択情報検索手段は、使用者からの指示に応じて、検索対象とするコンテンツリストの選択、および選択したコンテンツリストにおけるコンテンツ選択情報の検索範囲を設定するように構成されていることを特徴とする情報再生装置。
【請求項１２】
請求項１１の情報再生装置であって、
前記選択情報検索手段は、１つのコンテンツリストに対して検索を行った後、検索対象として選択した他のコンテンツリストに対しても連続して検索を行うように構成されていることを特徴とする情報再生装置。
【請求項１３】
請求項１１の情報再生装置であって、
さらに、前記選択情報検索手段に対して、検索を行うコンテンツリストの優先度を指定する検索優先度指定手段を備えていることを特徴とする情報再生装置。
【請求項１４】
請求項１１の情報再生装置であって、さらに、
複数のコンテンツリストのなかから検索対象とすべきコンテンツリストを前記選択情報検索手段に対して指定する検索情報範囲指定手段と、
検索対象のコンテンツリスト内のどの範囲の情報に対して検索を行うかを前記選択情報検索手段に対して指定する検索リスト範囲指定手段と、
を備えていることを特徴とする情報再生装置。
【請求項１５】
複数のコンテンツが記録された記録媒体を再生する情報再生方法であって、
前記記録媒体は、前記コンテンツの分類と対応して設けられた複数のコンテンツリストが記録され、
それぞれのコンテンツリストは、対応する分類に含まれる１または２以上のコンテンツの選択のために提示されるコンテンツ選択情報を含んだものであり、
前記コンテンツリストに含まれるコンテンツ選択情報のなかから、使用者が指定した１または２以上のコンテンツ選択情報と一致または類似する情報を検索する選択情報検索ステップと、
前記選択情報検索ステップで、一致または類似するコンテンツ選択情報が検索された場合に、検索されたコンテンツ選択情報に対応するコンテンツを再生する一方、前記選択情報検索ステップで、一致する情報および類似する情報が検索できなかった場合に、現在再生中または再生したコンテンツが対応するコンテンツリストに含まれる別のコンテンツ選択情報を用いて再生を行うコンテンツ再生ステップと、
を有することを特徴とする情報再生方法。
【請求項１６】
請求項１１の情報再生装置であって、
さらに、各コンテンツリストが再生に使用された回数を示す回数情報を取得する再生回数取得手段を備え、
前記選択情報検索手段は、再生回数取得手段が取得した回数情報に応じて選択したコンテンツリストを使用して、コンテンツ選択情報を検索するように構成されていることを特徴とする情報再生装置。
【請求項１７】
請求項１１の情報再生装置であって、
さらに、所定の時刻において各コンテンツリストが再生に使用された回数の積算回数を示す情報を取得する積算回数取得手段を備え、
前記選択情報検索手段は、前記積算回数取得手段が取得した積算回数を示す情報に応じて選択したコンテンツリストを使用して、コンテンツ選択情報を検索するように構成されていることを特徴とする情報再生装置。
【請求項１８】
請求項１１の情報再生装置であって、
さらに、コンテンツの再生時における音声出力の効果を示す音声設定情報を取得する設定情報取得手段を備え、
前記コンテンツ再生手段は、前記設定情報取得手段が取得した音声設定情報に応じた音声出力効果でコンテンツを再生するように構成されていることを特徴とする情報再生装置。
【請求項１９】
コンテンツを記録媒体に記録し、かつ前記記録媒体からコンテンツを再生する情報記録再生装置であって、
コンテンツを前記記録媒体に記録するコンテンツ記録手段と、
前記コンテンツが再生される際の選択のために提示されるコンテンツ選択情報を、前記コンテンツの分類に対応するコンテンツリストに含めて前記記録媒体に記録するコンテンツリスト記録手段と、
それぞれのコンテンツリストに含まれるコンテンツ選択情報のなかから、使用者が指定した１または２以上のコンテンツ選択情報と一致または類似する情報を検索する選択情報検索手段と、
前記選択情報検索手段で検索されたコンテンツ選択情報に対応するコンテンツを再生するコンテンツ再生手段と、
コンテンツリストが再生に使用された回数を示す回数情報を取得する再生回数取得手段とを備え、
前記選択情報検索手段は、再生回数取得手段が取得した回数情報に応じて選択したコンテンツリストを使用して、前記コンテンツ選択情報を検索するように構成されていることを特徴とする情報記録再生装置。
【請求項２０】
コンテンツを記録媒体に記録し、かつ前記記録媒体からコンテンツを再生する情報記録再生装置であって、
コンテンツを前記記録媒体に記録するコンテンツ記録手段と、
前記コンテンツが再生される際の選択のために提示されるコンテンツ選択情報を、前記コンテンツの分類に対応するコンテンツリストに含めて前記記録媒体に記録するコンテンツリスト記録手段と、
それぞれのコンテンツリストに含まれるコンテンツ選択情報のなかから、使用者が指定した１または２以上のコンテンツ選択情報と一致または類似する情報を検索する選択情報検索手段と、
前記選択情報検索手段で検索されたコンテンツ選択情報に対応するコンテンツを再生するコンテンツ再生手段と、
所定の時刻において各コンテンツリストが再生に使用された回数の積算回数を示す情報を取得する積算回数取得手段とを備え、
前記選択情報検索手段は、前記積算回数取得手段が取得した積算回数を示す情報に応じて選択したコンテンツリストを使用して、コンテンツ選択情報を検索するように構成されていることを特徴とする情報記録再生装置。
【請求項２１】
コンテンツを記録媒体に記録し、かつ前記記録媒体からコンテンツを再生する情報記録再生装置であって、
コンテンツを前記記録媒体に記録するコンテンツ記録手段と、
前記コンテンツが再生される際の選択のために提示されるコンテンツ選択情報を、前記コンテンツの分類に対応するコンテンツリストに含めて前記記録媒体に記録するコンテンツリスト記録手段と、
それぞれのコンテンツリストに含まれるコンテンツ選択情報のなかから、使用者が指定した１または２以上のコンテンツ選択情報と一致または類似する情報を検索する選択情報検索手段と、
前記選択情報検索手段で検索されたコンテンツ選択情報に対応するコンテンツを再生するコンテンツ再生手段と、
コンテンツの再生時における音声出力の効果を示す音声設定情報を取得する設定情報取得手段とを備え、
前記コンテンツ再生手段は、前記設定情報取得手段が取得した音声設定情報に応じた音声出力効果でコンテンツを再生するように構成されていることを特徴とする情報記録再生装置。
【請求項２２】
請求項１から請求項９のうちの何れか１項の情報記録装置であって、
さらに、前記コンテンツ選択情報を記憶するコンテンツ選択情報記憶手段を備えていることを特徴とする情報記録装置。
【請求項２３】
請求項１１から請求項１４、および請求項１６から請求項１８のうちの何れか１項の情報再生装置であって、
さらに、前記コンテンツ選択情報を記憶するコンテンツ選択情報記憶手段を備えていることを特徴とする情報再生装置。
【請求項２４】
請求項１９から請求項２１のうちの何れか１項の情報記録再生装置であって、
さらに、前記コンテンツ選択情報を記憶するコンテンツ選択情報記憶手段を備えていることを特徴とする情報記録再生装置。
【発明の詳細な説明】
【技術分野】
【０００１】
本発明は、入力された音声や映像が含まれたコンテンツをメモリカードやミニディスク等の記録媒体に記録する情報記録装置、情報記録方法、前記記録媒体に記録記録されているコンテンツを再生する情報再生装置、情報再生方法、および情報記録再生装置に関するものである。
【背景技術】
【０００２】
例えば光ディスクなどの記録媒体に記録されているコンテンツ（映像データや音声データ等）をミニディスクやハードディスク等の記録媒体に複製した場合、ミニディスクやハードディスク等には、コンテンツが再生される際に、再生されるコンテンツを選択するために提示されるコンテンツのタイトル、演奏者（歌手）といったコンテンツ自体に関する情報（コンテンツ選択情報）や前記コンテンツが記録されているアドレスなどの情報を含んだコンテンツリスト（再生リスト）が記録される。
【０００３】
例えば、再生装置でコンテンツの再生が行われる場合には、コンテンツリストに含まれたタイトル名が再生装置に設けられた表示部などに表示（提示）され、使用者が表示されたタイトル名などから再生したいコンテンツを選択し、選択したコンテンツの再生を再生装置に指示すれば、ハードディスク等に記録されている対応するコンテンツの再生が前記アドレスなどに基づいて行われる。（例えば、特許文献１を参照。）
図９は、前記ハードディスク等の記録媒体に対し、コンテンツの記録とともに、前記コンテンツリストを記録する情報記録装置５００の構成を示すブロック図である。同図に示すように、情報記録装置５００は、信号読み取り部５０１、復号化部５０２、書き込み部５０３、マイクロプロセッサ（ＣＰＵ）５０４、および記録制御操作部５０５を備えている。
【０００４】
信号読み取り部５０１は、光ディスク５１０に記録されている映像データや音声データ等を読み取るようになっている。
【０００５】
復号化部５０２は、信号読み取り部５０１が読み取った映像データや音声データ等を復号化して出力するようになっている。
【０００６】
書き込み部５０３は、復号化部５０２によって復号化されたデータ、および前記コンテンツリストを記録媒体５０６に記録するようになっている。この情報記録装置５００では、１つの記録媒体５０６に対し１つのコンテンツリストが記録されるようになっている。
【０００７】
ＣＰＵ５０４は、ディスク再生部５０４ａ、および書き込み制御部５０４ｂを備えて構成されている。このディスク再生部５０４ａは、信号読み取り部５０１が行う再生の動作、および復号化部５０２が行う復号化の動作を制御するようになっている。また、書き込み制御部５０４ｂは、書き込み部５０３が行うデータの書き込み動作を制御するようになっている。
【０００８】
記録制御操作部５０５は、使用者からの指示に応じ、ＣＰＵ５０４を制御するようになっている。詳しくは、使用者が例えばダビング記録の開始などを指示するためのキースイッチ５０５ａ、および使用者の指示に応じた情報をＣＰＵ５０４に出力するサブマイコン５０５ｂを備えて構成されている。
【０００９】
光ディスク５１０は、例えば複数の映像データや音声データ等のコンテンツが記録されている記録媒体である。
【００１０】
記録媒体５０６は、映像データや音声データを書き込むための記録媒体（例えばハードディスク）である。
【００１１】
上記のように構成された情報記録装置５００の動作を図１０に示すフローチャートに基づいて説明する。
【００１２】
例えば使用者によってキースイッチ５０５ａが操作され、記録媒体５０６に記録するコンテンツが指定されることによって以下の動作が行われる。
【００１３】
記録制御操作部５０５は、光ディスク５１０の再生指令をＣＰＵ５０４に対し出力する（図１０のＡの範囲の処理を参照）。そこで、ＣＰＵ５０４のディスク再生部５０４ａは、信号読み取り部５０１を制御し、光ディスク５１０に記録されているコンテンツを読み出させる。また、ディスク再生部５０４ａは、復号化部５０２を制御し、信号読み取り部５０１によって読み出されたコンテンツを復号化させる。また、書き込み部５０３は、書き込み制御部５０４ｂに制御されて、コンテンツを記録媒体５０６に記録するとともに、前記コンテンツ選択情報を記録媒体５０６の１つのコンテンツリストに記録する（図１０のＣの範囲の処理を参照）。
【００１４】
使用者によって光ディスク５１０から複数のコンテンツの記録が指示されている場合には、上記の動作を全ての記録が指示のされたコンテンツが記録媒体５０６に記録されるまで繰り返す。
【００１５】
また、読み取りを行う光ディスク５１０が複数あり、それらのコンテンツについても記録の指示がされている場合には、残りの光ディスク５１０についても上記Ｃの処理を繰り返す（図１０のＤの範囲の処理を参照）。
【００１６】
上記のように、光ディスク５１０に記録されているコンテンツの記録媒体５０６への記録にともなって、前記コンテンツ選択情報は、記録媒体５０６内の１つのコンテンツリストに記録される。
【００１７】
記録媒体５０６に記録されたコンテンツの再生が行われる場合には、コンテンツリストに含まれたタイトル名が再生装置に設けられた表示部などに表示され、使用者が表示されたタイトル名などから再生したいコンテンツを選択することによって、使用者が意図するコンテンツコンテンツが読み出されて再生が行われる。
【特許文献１】特開２００２−３４３０６６号公報（図１）
【発明の開示】
【発明が解決しようとする課題】
【００１８】
しかしながら、近年、記録媒体５０６の容量が増大し、また１枚の光ディスク５１０に記録されているコンテンツの情報量も増大しており、１つのコンテンツリストのみにタイトル名などの情報を記録していたのでは、１つのコンテンツリストの情報量が増加し、再生するコンテンツの選択を行う場合に多くにタイトル名などが提示される。また、過去に記録されたコンテンツと新規に記録されたコンテンツとが混在しているため、記録されているコンテンツを一旦再生して内容の確認を行わなければ、意図しているコンテンツかどうか分からない場合がある。上記のように、従来のコンテンツリストでは、使用者が意図するコンテンツを見つけ出すには時間を要し、容易に選択することが困難になってきた。
【００１９】
本発明は、上記の問題に着目してなされたものであり、ミニディスクなどの記録媒体に記録されている多くのコンテンツから使用者の意図するコンテンツを容易に選択できるコンテンツリストを前記記録媒体に記録する情報記録装置や方法を提供することを課題とする。
【課題を解決するための手段】
【００２０】
前記の課題を解決するため、請求項１の発明は、
コンテンツを記録媒体に記録する情報記録装置であって、
コンテンツを前記記録媒体に記録するコンテンツ記録手段と、
前記コンテンツが再生される際の選択のために提示されるコンテンツ選択情報を、前記コンテンツの分類に対応するコンテンツリストに含めて前記記録媒体に記録するコンテンツリスト記録手段と、
を備えていることを特徴とする。
【００２１】
これにより、コンテンツの分類に応じたコンテンツリストが記録媒体に記録され、１つのコンテンツリストに含まれる情報量を減少させることができるので、意図するコンテンツを見つけ出すのに要する時間を短くし、コンテンツの選択を容易に行うことが可能になる。
【００２２】
また、請求項２の発明は、
請求項１の情報記録装置であって、
さらに、ソース用記録媒体に記録されたコンテンツを読み取るコンテンツ読み取り手段を備え、
前記コンテンツリスト記録手段は、前記コンテンツ選択情報を、コンテンツが記録されていたソース用記録媒体に対応するコンテンツリストに含めて前記記録媒体に記録するように構成されていることを特徴とする。
【００２３】
これにより、光ディスク等のソース用記録媒体毎のコンテンツ検索情報を含んだコンテンツリストが記録媒体に記録され、１つのコンテンツリストに含まれる情報量を減少させることができるので、意図するコンテンツを見つけ出すのに要する時間を短くし、コンテンツの選択を容易に行うことが可能になる。
【００２４】
また、請求項３の発明は、
請求項１の情報記録装置であって、
前記コンテンツリスト記録手段は、入力されたコンテンツに付加されてコンテンツの属性を示す文字情報であるタグ情報に基づいて前記コンテンツ選択情報を、前記タグ情報によるコンテンツの分類に対応したコンテンツリストに含めて前記記録媒体に記録するように構成されていることを特徴とする。
【００２５】
また、請求項４の発明は、
請求項３の情報記録装置であって、
前記コンテンツリスト記録手段は、前記コンテンツ選択情報を、コンテンツに付加された複数のタグ情報のうちの１つまたは２つ以上の組合せに応じて分類されたコンテンツの分類に対応するコンテンツリストに含めて前記記録媒体に記録するように構成されていることを特徴とする。
【００２６】
これらにより、コンテンツ検索情報がタグ情報によって分類され、１つのコンテンツリストに含まれる情報量を減少させることができるので、意図するコンテンツを見つけ出すのに要する時間を短くし、コンテンツの選択を容易に行うことが可能になる。
【００２７】
また、請求項５の発明は、
請求項３の情報記録装置であって、
前記コンテンツ記録手段は、入力されたコンテンツのうち指定されたコンテンツリストに対応する分類のコンテンツを前記記録媒体に記録するように構成されていることを特徴とする。
【００２８】
これにより、例えば使用者が指定したタグ情報に一致するコンテンツのみが記録媒体に記録される。
【００２９】
また、請求項６の発明は、
請求項１の情報記録装置であって、
前記コンテンツリスト記録手段は、
前記記録媒体に記録するコンテンツの分類に対応するコンテンツリストが前記記録媒体に既に記録されている場合には、前記記録媒体に記録するコンテンツについてのコンテンツ選択情報は、前記既に記録されているコンテンツリストに追加して記録する一方、その他の場合には、前記コンテンツ選択情報を新たなコンテンツリストに含めて記録するように構成されていることを特徴とする。
【００３０】
これにより、記録するコンテンツの分類に対応するコンテンツリストが記録媒体に存在しない場合に、新たなコンテンツリストが記録媒体に記録され、既に存在する場合は存在するコンテンツリストにコンテンツ検索情報が追記される。
【００３１】
また、請求項７の発明は、
請求項１の情報記録装置であって、
さらに、入力されたコンテンツを解析してそのコンテンツのジャンルを推定するジャンル推定手段を備え、
前記コンテンツリスト記録手段は、前記コンテンツ選択情報を、推定されたジャンルによるコンテンツの分類に対応したコンテンツリストに含めて前記記録媒体に記録するように構成されていることを特徴とする。
【００３２】
これにより、前記タグ情報を有していないコンテンツの記録が行われる場合にも、コンテンツ選択情報がジャンルによって分類され、１つのコンテンツリストに含まれる情報量を減少させることができるので、意図するコンテンツを見つけ出すのに要する時間を短くし、コンテンツの選択を容易に行うことが可能になる。
【００３３】
また、請求項８の発明は、
請求項１の情報記録装置であって、
前記コンテンツリストは、使用者に応じた識別情報が対応付けられたものであって、
前記コンテンツリスト管理手段は、前記コンテンツが前記記録媒体に記録される際に、情報記録装置の外部から入力された識別情報とコンテンツリストに対応付けられた識別情報とが一致する場合は、前記コンテンツ選択情報がコンテンツリストに含めて記録され、一致しない場合は、新たなコンテンツリストに含めて記録されるように構成されていることを特徴とする。
【００３４】
これにより、コンテンツを記録する記録媒体を複数の使用者で共用した場合でも、再生装置などで記録されたコンテンツの再生や編集を行う際に、使用者に関連するコンテンツリストのみを提示するようにできるので、コンテンツの選択をより容易に行うことが可能になる。
【００３５】
また、請求項９の発明は、
請求項１から請求項８のうちの何れか１項の情報記録装置であって、
さらに、文字情報を情報記録装置の外部から入力する文字情報入力手段と、
文字情報として前記コンテンツリストに含まれているコンテンツ選択情報、入力されたコンテンツのタグ情報、および前記記録媒体に記録されたコンテンツのタグ情報を前記文字情報入力手段から入力された文字情報に変更する情報変更手段と、
を備えていることを特徴とする。
【００３６】
これにより、コンテンツリストなどに含まれる情報を使用者によって変更することができる。
【００３７】
また、請求項１０の発明は、
コンテンツを記録媒体に記録する情報記録方法であって、
コンテンツを前記記録媒体に記録するコンテンツ記録ステップと、
前記コンテンツが再生される際の選択のために提示されるコンテンツ選択情報を、前記コンテンツの分類に対応するコンテンツリストに含めて前記記録媒体に記録するコンテンツリスト記録ステップと、
を備えていることを特徴とする。
【００３８】
これにより、コンテンツの分類に応じたコンテンツリストが記録媒体に記録され、１つのコンテンツリストに含まれる情報量を減少させることができるので、意図するコンテンツを見つけ出すのに要する時間を短くし、コンテンツの選択を容易に行うことが可能になる。
【００３９】
また、請求項１１の発明は、
複数のコンテンツが記録された記録媒体を再生する情報再生装置であって、
前記記録媒体は、前記コンテンツの分類と対応して設けられた複数のコンテンツリストが記録され、
それぞれのコンテンツリストは、対応する分類に含まれる１または２以上のコンテンツの選択のために提示されるコンテンツ選択情報を含んだものであり、
前記コンテンツリストに含まれるコンテンツ選択情報のなかから、使用者が指定した１または２以上のコンテンツ選択情報と一致または類似する情報を検索する選択情報検索手段と、
前記選択情報検索手段で検索されたコンテンツ選択情報に対応するコンテンツを再生するコンテンツ再生手段とを備え、
前記選択情報検索手段は、使用者からの指示に応じて、検索対象とするコンテンツリストの選択、および選択したコンテンツリストにおけるコンテンツ選択情報の検索範囲を設定するように構成されていることを特徴とする。
【００４０】
これにより、使用者の指示に応じたコンテンツリストが検索されるので、使用者の意図するコンテンツを容易に再生することが可能になる。
【００４１】
また、請求項１２の発明は、
請求項１１の情報再生装置であって、
前記選択情報検索手段は、１つのコンテンツリストに対して検索を行った後、検索対象として選択した他のコンテンツリストに対しても連続して検索を行うように構成されていることを特徴とする。
【００４２】
これにより、使用者が意図する複数のコンテンツリストの検索ができるので、１つのコンテンツリストの再生が終了した後でも、続けて使用者が意図する別のコンテンツリストの再生を行うことが可能になる。
【００４３】
また、請求項１３の発明は、
請求項１１の情報再生装置であって、
さらに、前記選択情報検索手段に対して、検索を行うコンテンツリストの優先度を指定する検索優先度指定手段を備えていることを特徴とする。
【００４４】
これにより、コンテンツリストに対して検索の優先度を指定できるので、検索時にコンテンツ選択情報と一致するものが複数存在する場合でも、使用者が最も意図するコンテンツリスト情報を選択することが可能になる。
【００４５】
また、請求項１４の発明は、
請求項１１の情報再生装置であって、さらに、
複数のコンテンツリストのなかから検索対象とすべきコンテンツリストを前記選択情報検索手段に対して指定する検索情報範囲指定手段と、
検索対象のコンテンツリスト内のどの範囲の情報に対して検索を行うかを前記選択情報検索手段に対して指定する検索リスト範囲指定手段と、
を備えていることを特徴とする。
【００４６】
これにより、検索対象とすべきコンテンツリストを指定できるので、多くのコンテンツリストが存在する場合でも、使用者が意図するコンテンツリスト群の中からのみコンテンツ選択情報を検索することが可能になる。
【００４７】
また、請求項１５の発明は、
複数のコンテンツが記録された記録媒体を再生する情報再生方法であって、
前記記録媒体は、前記コンテンツの分類と対応して設けられた複数のコンテンツリストが記録され、
それぞれのコンテンツリストは、対応する分類に含まれる１または２以上のコンテンツの選択のために提示されるコンテンツ選択情報を含んだものであり、
前記コンテンツリストに含まれるコンテンツ選択情報のなかから、使用者が指定した１または２以上のコンテンツ選択情報と一致または類似する情報を検索する選択情報検索ステップと、
前記選択情報検索ステップで、一致または類似するコンテンツ選択情報が検索された場合に、検索されたコンテンツ選択情報に対応するコンテンツを再生する一方、前記選択情報検索ステップで、一致する情報および類似する情報が検索できなかった場合に、現在再生中または再生したコンテンツが対応するコンテンツリストに含まれる別のコンテンツ選択情報を用いて再生を行うコンテンツ再生ステップと、
を有することを特徴とする。
【００４８】
これにより、検索対象のコンテンツリスト内に使用者が意図するコンテンツ選択情報がない場合でも、検索対象外のコンテンツ選択情報も検索することができるので、使用者が意図するコンテンツを全コンテンツリストより検索することが可能になる。
【００４９】
また、請求項１６の発明は、
請求項１１の情報再生装置であって、
さらに、各コンテンツリストが再生に使用された回数を示す回数情報を取得する再生回数取得手段を備え、
前記選択情報検索手段は、再生回数取得手段が取得した回数情報に応じて選択したコンテンツリストを使用して、コンテンツ選択情報を検索するように構成されていることを特徴とする。
【００５０】
これにより、コンテンツリストが過去に再生に使用された回数を取得できるので、使用者がよく使用するコンテンツリスト順、あまり使用しないコンテンツリスト順、または使用回数を均等にさせるなどの過去のコンテンツリスト使用回数に応じた再生を行うことが可能になる。
【００５１】
また、請求項１７の発明は、
請求項１１の情報再生装置であって、
さらに、所定の時刻において各コンテンツリストが再生に使用された回数の積算回数を示す情報を取得する積算回数取得手段を備え、
前記選択情報検索手段は、前記積算回数取得手段が取得した積算回数を示す情報に応じて選択したコンテンツリストを使用して、コンテンツ選択情報を検索するように構成されていることを特徴とする。
【００５２】
これにより、所定時刻における過去のコンテンツリスト使用回数が取得できるので、使用者が現在の時刻によく再生に使用していたコンテンツリストを再生対象に選択できる。すなわち、例えば朝などに目覚まし代わりとして特定のコンテンツリストを用いて自動再生することが可能になる。
【００５３】
また、請求項１８の発明は、
請求項１１の情報再生装置であって、
さらに、コンテンツの再生時における音声出力の効果を示す音声設定情報を取得する設定情報取得手段を備え、
前記コンテンツ再生手段は、前記設定情報取得手段が取得した音声設定情報に応じた音声出力効果でコンテンツを再生するように構成されていることを特徴とする。
【００５４】
これにより、コンテンツリスト毎に音声設定情報を取得できるので、使用者が現在再生しようとするコンテンツに合った音声設定を自動的にして再生することが可能になる。
【００５５】
また、請求項１９の発明は、
コンテンツを記録媒体に記録し、かつ前記記録媒体からコンテンツを再生する情報記録再生装置であって、
コンテンツを前記記録媒体に記録するコンテンツ記録手段と、
前記コンテンツが再生される際の選択のために提示されるコンテンツ選択情報を、前記コンテンツの分類に対応するコンテンツリストに含めて前記記録媒体に記録するコンテンツリスト記録手段と、
それぞれのコンテンツリストに含まれるコンテンツ選択情報のなかから、使用者が指定した１または２以上のコンテンツ選択情報と一致または類似する情報を検索する選択情報検索手段と、
前記選択情報検索手段で検索されたコンテンツ選択情報に対応するコンテンツを再生するコンテンツ再生手段と、
コンテンツリストが再生に使用された回数を示す回数情報を取得する再生回数取得手段とを備え、
前記選択情報検索手段は、再生回数取得手段が取得した回数情報に応じて選択したコンテンツリストを使用して、前記コンテンツ選択情報を検索するように構成されていることを特徴とする。
【００５６】
これにより、コンテンツリストが過去に再生に使用された回数を取得できるので、当該装置において使用者がよく使用するコンテンツリスト順、使用しないコンテンツリスト順、または使用回数を均等にさせるなどの過去の使用回数に応じた再生を行うことが可能になる。
【００５７】
また、請求項２０の発明は、
コンテンツを記録媒体に記録し、かつ前記記録媒体からコンテンツを再生する情報記録再生装置であって、
コンテンツを前記記録媒体に記録するコンテンツ記録手段と、
前記コンテンツが再生される際の選択のために提示されるコンテンツ選択情報を、前記コンテンツの分類に対応するコンテンツリストに含めて前記記録媒体に記録するコンテンツリスト記録手段と、
それぞれのコンテンツリストに含まれるコンテンツ選択情報のなかから、使用者が指定した１または２以上のコンテンツ選択情報と一致または類似する情報を検索する選択情報検索手段と、
前記選択情報検索手段で検索されたコンテンツ選択情報に対応するコンテンツを再生するコンテンツ再生手段と、
所定の時刻において各コンテンツリストが再生に使用された回数の積算回数を示す情報を取得する積算回数取得手段とを備え、
前記選択情報検索手段は、前記積算回数取得手段が取得した積算回数を示す情報に応じて選択したコンテンツリストを使用して、コンテンツ選択情報を検索するように構成されていることを特徴とする。
【００５８】
これにより、所定時刻における過去のコンテンツリスト使用回数が取得できるので、現在の時刻によく再生に使用していたコンテンツリストを再生対象に選択できる。それゆえ、当該装置において例えば朝などに、目覚まし代わりとして特定のコンテンツを自動再生することが可能になる。
【００５９】
また、請求項２１の発明は、
コンテンツを記録媒体に記録し、かつ前記記録媒体からコンテンツを再生する情報記録再生装置であって、
コンテンツを前記記録媒体に記録するコンテンツ記録手段と、
前記コンテンツが再生される際の選択のために提示されるコンテンツ選択情報を、前記コンテンツの分類に対応するコンテンツリストに含めて前記記録媒体に記録するコンテンツリスト記録手段と、
それぞれのコンテンツリストに含まれるコンテンツ選択情報のなかから、使用者が指定した１または２以上のコンテンツ選択情報と一致または類似する情報を検索する選択情報検索手段と、
前記選択情報検索手段で検索されたコンテンツ選択情報に対応するコンテンツを再生するコンテンツ再生手段と、
コンテンツの再生時における音声出力の効果を示す音声設定情報を取得する設定情報取得手段とを備え、
前記コンテンツ再生手段は、前記設定情報取得手段が取得した音声設定情報に応じた音声出力効果でコンテンツを再生するように構成されていることを特徴とする。
これにより、コンテンツリスト毎に音声設定情報を取得できるので、使用者が現在再生しようとするコンテンツに合った音声設定を自動的にして再生することが可能になる。
【００６０】
また、請求項２２の発明は、
請求項１から請求項９のうちの何れか１項の情報記録装置であって、
さらに、前記コンテンツ選択情報を記憶するコンテンツ選択情報記憶手段を備えていることを特徴とする。
【００６１】
これにより、当該装置内のメモリにコンテンツ選択情報を保持できるので、記録媒体に記録をしたくない場合においても、意図するコンテンツを見つけ出すのに要する時間を短くし、コンテンツの選択を容易に行うことが可能になる。
【００６２】
また、請求項２３の発明は、
請求項１１から請求項１４、および請求項１６から請求項１８のうちの何れか１項の情報再生装置であって、
さらに、前記コンテンツ選択情報を記憶するコンテンツ選択情報記憶手段を備えていることを特徴とする。
【００６３】
これにより、当該装置内のメモリにコンテンツ選択情報を保持できるので、装置が再生専用であるため記録媒体に記録ができない場合や、記録媒体に記録をしたくない場合においても、使用者の意図するコンテンツを再生することが可能になる。
【００６４】
また、請求項２４の発明は、
請求項１９から請求項２１のうちの何れか１項の情報記録再生装置であって、
さらに、前記コンテンツ選択情報を記憶するコンテンツ選択情報記憶手段を備えていることを特徴とする。
【００６５】
これにより、当該装置内に保持したメモリにコンテンツ選択情報を保持できるので、記録媒体に記録をしたくない場合においても、使用者の意図するコンテンツを再生することが可能になる。
【発明の効果】
【００６６】
本発明によれば、コンテンツリストが複数設けられることにより、１つのコンテンツリストに含まれる情報の量を減らすことができるので、コンテンツの記録媒体への記録後に行われる再生や編集の際にコンテンツの選択を容易に行うことが可能になる。
【００６７】
また、検索対象となるコンテンツリストを絞り込むための情報を使用者が指定できるので、使用者の意図するコンテンツの選択を容易に行うことが可能になる。
【発明を実施するための最良の形態】
【００６８】
本発明に係る情報記録装置は、コンテンツ選択情報（記録媒体に記録されたコンテンツが例えば再生される際に、再生されるコンテンツを選択するために提示される情報）を生成し、前記コンテンツ選択情報を複数含んだコンテンツリストを記録媒体に記録する。このコンテンツリストは、コンテンツを所定の分類基準で分類した分類ごとに設けられ、記録媒体に記録される各コンテンツについてのコンテンツ選択情報がそれぞれのコンテンツの分類に応じたコンテンツリストに含められるようになっている。
【００６９】
以下、本発明の実施形態として、映像や音声などを含んだコンテンツが記録されている複数枚の光ディスクからコンテンツを読み込んで別の記録媒体に記録するとともに、前記コンテンツリストを前記別の記録媒体に記録する装置について図面を参照しながら説明する。
【００７０】
《発明の実施形態１》
発明の実施形態１に係る情報記録装置１００は、本装置によって記録されるコンテンツが何れの光ディスクに記録されていたものであるかによって、コンテンツを分類する装置の例である。
【００７１】
図１は、情報記録装置１００の構成を示すブロック図である。
【００７２】
同図に示すように、情報記録装置１００は、信号読み取り部１０１、復号化部１０２、書き込み部１０３、記録媒体１０４、ＣＰＵ１０５、および記録制御操作部１０６を備えて構成されている。
【００７３】
信号読み取り部１０１は、光ディスク６００からのコンテンツを読み取るようになっている。
【００７４】
復号化部１０２は、信号読み取り部１０１が読み取ったコンテンツを復号化するようになっている。
【００７５】
記録媒体１０４は、映像や音声などを含むコンテンツを記録する記録媒体であり、例えば、メモリカードやミニディスク等によって構成されている。
【００７６】
書き込み部１０３は、前記コンテンツ等の情報を記録媒体１０４に記録するようになっている。
【００７７】
ＣＰＵ１０５は、装置全体の制御を司るメインマイコン（ＣＰＵ）であり、ディスク再生部１０５ａ、書き込み制御部１０５ｂ、およびコンテンツリスト管理部１０５ｃを備えている。
【００７８】
ＣＰＵ１０５のディスク再生部１０５ａは、信号読み取り部１０１、および復号化部１０２が行うコンテンツの読み取りや復号化を制御するようになっている。
【００７９】
書き込み制御部１０５ｂは、書き込み部１０３が行う記録媒体１０４に対する記録動作を制御するようになっている。
【００８０】
コンテンツリスト管理部１０５ｃは、コンテンツをそのコンテンツが何れの光ディスク６００から入力されたものであるかに応じて分類し、そのコンテンツについてのコンテンツ選択情報をコンテンツの分類ごとに設けられたコンテンツリストに含め、このコンテンツリストを記録媒体１０４に記録するようになっている。
【００８１】
また、前記コンテンツ選択情報は、具体的には、例えばコンテンツ名（たとえば音声データのタイトル名）、アーティスト名などの情報であり、コンテンツリストには、このコンテンツ選択情報に加え、コンテンツが記録されている記録媒体１０４上のアドレス等の情報も含まれる。また、同じ分類のコンテンツリストがすでに記録媒体１０４に記録されているかどうかを確認するためなどに用いるため、このコンテンツリストには、例えば光ディスク６００のＩＤ番号が名称として付されている。
【００８２】
記録制御操作部１０６は、キースイッチ１０６ａ、およびサブマイコン１０６ｂを備えて構成されている。
【００８３】
キースイッチ１０６ａは、使用者からの例えばダビング記録の開始などを指示を受け付けるようになっている。
【００８４】
サブマイコン１０６ｂは、キースイッチ１０６ａが受け付けた指示に応じた情報をＣＰＵ１０５に出力するようになっている。
【００８５】
図２は、前記のように構成された情報記録装置１００の動作を示すフローチャートである。各ステップにおける動作は以下のとおりである。
【００８６】
［Ｓ１０１］
記録制御操作部１０６は、使用者がキースイッチ１０６ａを操作し、光ディスク６００に記録されている複数のコンテンツの中から記録媒体１０４に記録するコンテンツを指定（記録指定）し、記録開始を指示するのを監視する。前記記録指定、および記録開始の指示があった場合には、記録制御操作部１０６は、ＣＰＵ１０５に対して記録指示を指令し、Ｓ１０２の処理に移行する。
【００８７】
［Ｓ１０２］
記録を行っている光ディスク６００についてのコンテンツリストが記録媒体１０４にあるかどうかを確認する。この確認は、読み込みを行っている光ディスク６００のＩＤ番号と記録媒体１０４上に記録されているコンテンツリストの名称を比較することによって行う。
【００８８】
コンテンツリストが記録媒体１０４に存在した場合には、コンテンツの記録等を行うためＳ１０４の処理に移行し、コンテンツリストが存在しない場合は、コンテンツリストを記録媒体１０４に記録するためＳ１０３の処理に移行する。
【００８９】
［Ｓ１０３］
コンテンツリスト管理部１０５ｃは、書き込み制御部１０５ｂを介して書き込み部１０３を制御し、コンテンツリストを記録媒体１０４に記録する。
【００９０】
［Ｓ１０４］
再生中の光ディスク６００での最終のコンテンツの場合は、Ｓ１０７の処理に移行し、最終のコンテンツでない場合は、Ｓ１０５の処理に移行する。
【００９１】
［Ｓ１０５］
１つのコンテンツが記録媒体１０４への記録されるのを待ち、１つのコンテンツの記録が終了した場合はＳ１０６の処理に移行する。
【００９２】
なお、コンテンツの記録媒体１０４への記録は、次のようにして行われる。
【００９３】
記録制御操作部１０６は、光ディスク６００の再生の指令をディスク再生部１０５ａに出力する。ディスク再生部１０５ａは、信号読み取り部１０１を制御することによって、光ディスク６００からコンテンツを読み出し、復号化部１０２は、読み出されたコンテンツを復号化して書き込み部１０３に出力する。書き込み部１０３は、復号化されたコンテンツを記録媒体１０４に記録する。
【００９４】
［Ｓ１０６］、および［Ｓ１０７］
前記コンテンツ選択情報をＳ１０３で作成された記録媒体１０４内のコンテンツリストに記録する。
【００９５】
［Ｓ１０８］
記録が終了していない光ディスク６００がある場合は、Ｓ１０２の処理に戻り、引き続きコンテンツ選択情報の記録などを行い、記録が終了していない光ディスク６００がない場合は、処理を終了する。
【００９６】
上記のようにして、コンテンツリストが記録媒体１０４に記録され、上記のコンテンツリストによれば、例えば、再生装置でコンテンツの再生が行われる場合に、使用者がコンテンツリストを指定することによって、そのコンテンツリストに含まれたタイトル名のみが再生装置に設けられた表示部などに表示（提示）される。そして、使用者が表示されたタイトル名などから再生をしようとしているコンテンツ等を選択し、そのコンテンツの再生を再生装置に指示すれば、コンテンツリストに含まれたアドレスなどに基づいて、記録媒体１０４に記録されているコンテンツの再生が行われる。
【００９７】
上記のように、本実施形態によれば、コンテンツ選択情報を複数のコンテンツリストに分けて記録することによって、１つのコンテンツリストに含まれる情報量を減少させることができるので、コンテンツを見つけ出すのに要する時間が短く、コンテンツの選択を容易に行うことができるコンテンツリストを作成することが可能になる。
【００９８】
また、指示のされているコンテンツが既に記録済みのコンテンツと同じコンテンツである場合には、このコンテンツを記録媒体に記録しないようにすることによって、記録媒体を効率的に使用することが可能になる。
【００９９】
なお、上記のように連続して複数の光ディスク６００からコンテンツを読み取って記録を行うのではなく、例えば１枚目の光ディスク６００の記録の終了後に、使用者の操作により２枚目以降の光ディスク６００の記録を行うようにしてもよい。
【０１００】
また、前記コンテンツリストへのコンテンツ選択情報等の記録は、上記のようにコンテンツを記録媒体１０４に記録するごとに行ってもよいし、コンテンツの記録を開始する前、または記録の完了後に一括して行ってもよい。
【０１０１】
また、記録媒体１０４に記録する映像データや音声データなどのコンテンツは、本実施形態のように光ディスク６００を再生することで得る場合に限らず、ネットワーク、放送、または他の記録媒体から得るようにしてもよい。ネットワークや放送によってコンテンツを得た場合、前記コンテンツは、例えば、放送やネットワークによる配信が行われた日時、放送局の周波数によって分類する。
【０１０２】
《発明の実施形態２》
発明の実施形態２に係る情報記録装置２００は、あらかじめ光ディスク６００やコンテンツ内などに付加されたディスク名、コンテンツ名、アーティスト名、ジャンル名などの情報を含むタグ情報によって、コンテンツを分類する装置の例である。
【０１０３】
なお、以下の実施形態において前記実施形態１等と同様の機能を有する構成要素については、同一の符号を付して説明を省略する。
【０１０４】
図３は、本発明の実施形態２に係る情報記録装置２００の構成を示すブロック図である。
【０１０５】
同図に示すように、情報記録装置２００は、実施形態１におけるＣＰＵ１０５に代えてＣＰＵ２０５を備えて構成されている。
【０１０６】
ＣＰＵ２０５は、実施形態１におけるＣＰＵ１０５のコンテンツリスト管理部１０５ｃに代えてコンテンツリスト管理部２０５ｃを備え、さらにディスクタグ読み取り部２０５ｄ、および記録媒体タグ読み取り部２０５ｅを加えて構成されている。
【０１０７】
コンテンツリスト管理部２０５ｃは、前記タグ情報によってコンテンツを分類し、そのコンテンツについてのコンテンツ選択情報をコンテンツの分類ごとに設けられたコンテンツリストに含め、このコンテンツリストを記録媒体１０４に記録するようになっている。具体的には、例えばアーティスト名が同じコンテンツのコンテンツ選択情報は、同じコンテンツリストに含められる。
【０１０８】
また、このコンテンツリストには、例えば前記コンテンツ名等のタグ情報が名称として付され、例えば再生装置で再生が行われる際に、使用者がこの名称を指定することによって、特定のコンテンツリストのコンテンツ選択情報が提示される。
【０１０９】
ディスクタグ読み取り部２０５ｄは、光ディスク６００や光ディスク６００記録されているコンテンツに付加された前記タグ情報を読み出すようになっている。
【０１１０】
記録媒体タグ読み取り部２０５ｅは、記録媒体１０４に記録されたコンテンツに付加されているタグ情報を読み出すようになっている。
【０１１１】
図４は、前記のように構成された情報記録装置２００の動作を示すフローチャートである。各ステップにおける動作は以下のとおりである。
【０１１２】
［Ｓ２０１］
記録制御操作部１０６は、使用者がキースイッチ１０６ａを操作し、光ディスク６００に記録されている複数のコンテンツの中から記録媒体１０４に記録するコンテンツを指定（記録指定）し、記録開始を指示するのを監視する。
【０１１３】
前記記録指定、および記録開始の指示があった場合には、記録制御操作部１０６は、ＣＰＵ２０５に対して記録指示を送り、Ｓ２０２の処理に移行する。
【０１１４】
［Ｓ２０２］
記録媒体タグ読み取り部２０５ｅは、記録媒体１０４内に既に記録されているコンテンツに付加されているタグ情報を読み出す。
【０１１５】
また、ディスクタグ読み取り部２０５ｄは、光ディスク６００、および光ディスク６００から読み出したコンテンツに付加されているタグ情報を読み取る。
【０１１６】
［Ｓ２０３］
光ディスク６００から読み取ったコンテンツのタグ情報と記録媒体１０４に記録されているコンテンツのタグ情報とを比較する。
【０１１７】
［Ｓ２０４ａ］
コンテンツをアーティスト名により分類できるかどうかを判断する。
【０１１８】
すなわち、光ディスク６００から読み取ったコンテンツ等に付加されているタグ情報にアーティスト名が含まれていた場合は、処理をＳ２０５ａに移行し、含まれていない場合はＳ２０４ｂに移行する。
【０１１９】
［Ｓ２０５ａ］
このステップでは、タグ情報に含まれていたアーティスト名に対応するコンテンツリストの作成要否を判断する。
【０１２０】
Ｓ２０３で行われた比較の結果、一致するアーティスト名がある場合は、そのアーティスト名に対応するコンテンツリストがすでに存在しているので、処理をＳ２０６ａに移行し、一致するものがない場合は、コンテンツリストが存在しないので、処理をＳ２０７ａに移行する。
【０１２１】
［Ｓ２０６ａ］
記録媒体１０４に存在するコンテンツリストに前記コンテンツ選択情報を追記する。
【０１２２】
［Ｓ２０７ａ］
ディスクタグ読み取り部２０５ｄが読み出したコンテンツのアーティスト名に対応するコンテンツリストを記録媒体１０４内に作成する。
【０１２３】
［Ｓ２０８ａ］
Ｓ２０７ａで作成したコンテンツリストに前記コンテンツ選択情報を記録する。
【０１２４】
［Ｓ２０９］
記録したコンテンツが最終のコンテンツである場合は処理を終了し、最終のものでない場合はＳ２１０に移行する。
【０１２５】
［Ｓ２１０］
１つのコンテンツが記録媒体１０４への記録されるのを待ち、１つのコンテンツの記録が終了した場合は、Ｓ２０２の処理に移行し、次のコンテンツのコンテンツ選択情報等の記録が行われる。
【０１２６】
なお、Ｓ２０４ａでタグ情報にアーティスト名が含まれていない場合には、Ｓ２０４ｂで、タグ情報にジャンル名（ジャンル情報）が含まれるか否か判断し、ジャンル名が含まれている場合は、Ｓ２０５ｂ以降の処理が行われてジャンル名に対応するコンテンツリストが記録媒体１０４に記録される（Ｓ２０５ｂ〜Ｓ２０８ｂ）。
【０１２７】
また、タグ情報にジャンル名が含まれていない場合は、Ｓ２０４ｃの処理に移行する。Ｓ２０４ｃの処理では、タグ情報にディスク名（ディスク情報）が含まれるか否か判断し、ディスク名が含まれている場合は、Ｓ２０５ｃ以降の処理が行われ、ディスク名に対応するコンテンツリストが記録媒体１０４に記録される（Ｓ２０５ｃ〜Ｓ２０８ｃ）。
【０１２８】
また、光ディスク６００や光ディスク６００に記録されたコンテンツが前記タグ情報を有していない場合は、本装置が指定する特定のコンテンツリストにコンテンツ選択情報を含める。具体的には、コンテンツリスト管理部２０５ｃが例えば所定の番号を名称として有するコンテンツリストに前記コンテンツ選択情報を記録する（図４のＳ２０４ｄ、Ｓ２０５ｄ、Ｓ２０８ｄ、Ｓ２１１、およびＳ２１２を参照。）。
【０１２９】
上記のコンテンツリストによれば、再生装置でコンテンツの再生が行われる場合に、例えば、使用者がコンテンツリストの名称（名称には、例えばアーティスト名が付されている。）を指定することによって、そのアーティストに関するコンテンツのタイトル名のみが再生装置に設けられた表示部などに表示されるので、記録されたコンテンツの再生や編集を行う場合に、コンテンツの選択を容易に行うことが可能になる。
【０１３０】
なお、上記で示したように指示がされた全てのコンテンツに対し、コンテンツリストへのコンテンツ選択情報の記録等を行うのではなく、入力されたコンテンツの中から、使用者が指定したタグ情報と同じタグ情報を有するコンテンツについてのみコンテンツ選択情報の記録等を行うようにしてもよい。
【０１３１】
また、コンテンツの分類に使用するタグ情報を使用者が指定できるようにしたり、複数のタグ情報の組み合わせによってコンテンツを分類するようにしてもよい。
【０１３２】
また、コンテンツリストの名称は、上記のように本情報記録装置よってアーティスト名などのタグ情報そのものを付するようにしてもよいし、使用者が名称を入力するようにしてもよい。
【０１３３】
《発明の実施形態３》
発明の実施形態３に係る情報記録装置３００は、記録するコンテンツにタグ情報が含まれていないため、コンテンツをジャンル名などに基づいて分類できない場合に、記録するコンテンツの周波数特性等を解析し、解析した結果からコンテンツのジャンル名（ジャンル情報）などを推測し、推測したジャンル名などに基づいてコンテンツを分類する装置の例である。
【０１３４】
図５は、本発明の実施形態３に係る情報記録装置３００の構成を示すブロック図である。
【０１３５】
同図に示すように、情報記録装置３００は、実施形態２におけるＣＰＵ２０５に代えてＣＰＵ３０５を備え、さらに音声データ解析部３０７を備えて構成されている。
【０１３６】
ＣＰＵ３０５は、実施形態２におけるコンテンツリスト管理部２０５ｃに代えて、コンテンツリスト管理部３０５ｃを備えて構成されている。
【０１３７】
コンテンツリスト管理部３０５ｃは、コンテンツリスト管理部２０５ｃの機能を備えている他に、ジャンル名などのタグ情報に応じたコンテンツリストを作成することができない場合に、音声データ解析部３０７がコンテンツから推測したジャンル名に基づいて、コンテンツリストを作成するようになっている。
【０１３８】
音声データ解析部３０７は、復号化部１０２が復号化した音声データの周波数特性等を解析し、解析した結果からコンテンツのジャンル名などを推測するようになっている。ジャンル名などを推測する技術は、具体的には、“ミュージックソムリエ”と呼ばれる技術などで既に公知の技術であり、音声データの周波数特性等を解析することで曲調やテンポなどを解析し、ジャンルを推定するものである。
【０１３９】
図６は、前記のように構成された情報記録装置３００の動作を示すフローチャートである。以下実施形態２に係る装置と処理が異なるＳ３０４〜Ｓ３０８における処理について説明する。Ｓ３０４の処理は、光ディスク６００のコンテンツがアーティスト名などのタグ情報を有していない場合に実行される。
【０１４０】
［Ｓ３０４］
音声データ解析部３０７は、復号化部１０２が復号化した音声データを解析し、ジャンル名を推定する。
【０１４１】
［Ｓ３０５］
Ｓ３０４の推定の結果得られたジャンル名に対応したコンテンツリストを作成する。
【０１４２】
［Ｓ３０６］
Ｓ３０５で生成したコンテンツリストと同じコンテンツリストが記録媒体１０４にある場合は、Ｓ３０５の処理で作成されたコンテンツリストを破棄し、Ｓ３０７の処理に移行し、同じコンテンツリストがない場合は、Ｓ３０８の処理に移行する。
【０１４３】
［Ｓ３０７］
記録媒体１０４に存在するコンテンツリストに前記コンテンツ選択情報を記録する。
【０１４４】
［Ｓ３０８］
Ｓ３０５で作成したコンテンツリストに前記コンテンツ選択情報を記録する。
【０１４５】
上記のように、音声データのから推測されたジャンル名に基づいてコンテンツリストが作成され、同じジャンル名であると推定された音声データのコンテンツ選択情報は同一のコンテンツリストに含められる。
【０１４６】
上記のように、本実施形態によれば、音声データを解析し、ジャンル名を推定することによって、タグ情報を有していないコンテンツについてもジャンル名によって分類し、これに対応するコンテンツリストを作成でき、コンテンツの再生や編集を行う場合に、コンテンツの選択を容易に行うことが可能になる。
【０１４７】
なお、音声データ解析部３０７を用いたジャンル名によるコンテンツリストの作成は、タグ情報の有無に係わらず行うようにしてもよいし、使用者の指示により行うようにしてもよい。
【０１４８】
《発明の実施形態４》
発明の実施形態４に係る情報記録装置４００は、コンテンツリストへの情報の追記可否や使用者を識別する属性情報が付加されたコンテンツリストを記録する装置の例である。
【０１４９】
図７は、本発明の実施形態４に係る情報記録装置４００の構成を示すブロック図である。
【０１５０】
同図に示すように、情報記録装置４００は、実施形態２における記録制御操作部１０６に代えて記録制御操作部４０６を備えて構成されている。
【０１５１】
記録制御操作部４０６は、実施形態４等における記録制御操作部１０６に、さらに属性情報入力部４０６ｃを加えて構成されている。
【０１５２】
属性情報入力部４０６ｃは、コンテンツリスト管理部２０５ｃが新たにコンテンツリストを作成する場合に、コンテンツリスト毎に追記不可であることや使用者などの属性情報を記録するようになっている。この属性情報は、例えばキースイッチ１０６ａ等から入力される。
【０１５３】
図８は、前記のように構成された情報記録装置４００の動作を示すフローチャートである。
【０１５４】
［Ｓ４０１］
記録制御操作部４０６は、使用者が記録開始を指示するのを監視する。記録開始の指示があった場合には、記録制御操作部４０６は、ＣＰＵ２０５に対して指示を行い、処理をＳ４０２に移行する。
【０１５５】
［Ｓ４０２］
コンテンツリスト管理部２０５ｃは、記録媒体１０４にコンテンツリストが存在するかどうか確認する。
【０１５６】
コンテンツリストが存在しない場合にはＳ４０３の処理に移行し、存在する場合には、そのコンテンツリストの属性情報を読み取り、Ｓ４０４の処理に移行する。
【０１５７】
［Ｓ４０３］
外部から入力される前記属性情報の入力を受け付ける（例えば、使用者がキースイッチ１０６ａを用いて属性情報を入力する。）。属性情報入力部４０６ｃは、入力された属性情報をコンテンツリスト管理部２０５ｃに出力する。
【０１５８】
［Ｓ４０４］
コンテンツリスト管理部２０５ｃは、コンテンツリストが追記可能かどうか、属性情報に含まれる使用者の情報と本装置の使用者とが同じかどうかを確認する。本装置の使用者は、例えば、本装置の電源を入れた時などに、使用者がキースイッチ１０６ａを用いて入力した使用者ＩＤ等によって特定できる。
【０１５９】
コンテンツリストに対し、追記可能、かつ使用者が一致する場合は、Ｓ１０４以降の処理が行われ、コンテンツリストに対するコンテンツ選択情報の追記やコンテンツの記録が行われる。また、追記不可能である場合、または使用者が異なる場合は、Ｓ４０３の処理に移行する。
【０１６０】
［Ｓ４０５］
コンテンツリスト管理部２０５ｃは、コンテンツリストを作成する。
【０１６１】
ここで作成するコンテンツリストは、実施形態１の例のような光ディスク６００ごとに作成されるものでもよいし、実施形態２の例のようにアーティスト名などのタグ情報に基づいて作成されるものでもよい。
【０１６２】
以下Ｓ１０４〜Ｓ１０８の処理が行われ、コンテンツとともに、コンテンツリストが記録媒体１０４に記録される。
【０１６３】
本実施形態の装置によって作成されたコンテンツリストによれば、再生などが行われる際に、前記属性情報が用いられることによって、所定の使用者に関連するコンテンツのみが提示されるようにでき、同一の記録媒体１０４を複数の使用者で共用する場合に、コンテンツの選択を容易に行うことが可能になる。
【０１６４】
なお、前記の実施形態で示した記録媒体は、光ディスク、メモリカード、またはミニディスクなどに限られず、コンテンツ等を記録できるものであればよい。
【０１６５】
また、上記各実施形態で説明した構成要素は、論理的に可能な範囲で種々に組み合わせてもよい。具体的には、例えば実施形態１〜３の装置においても前記属性情報を入力できるようにしてもよい。
【０１６６】
また、上記に示したタグ情報の内容も例示であり、前記コンテンツを分類できる情報であれば上記の例に限定されない。
【０１６７】
また、使用者がキースイッチなどにより文字情報を入力できるようにし、コンテンツのタグ情報やコンテンツリストの内容を、使用者が入力した文字情報によって変更できるようにしてもよい。これにより、コンテンツを再生する際にコンテンツリストを選び易いような名称に付けかえたり、曲名等の表示内容を変更することができる。
【０１６８】
《発明の実施形態５》
図１１は、本発明の実施形態５に係る情報再生装置７００の構成を示すブロック図である。情報再生装置７００は、上記の実施形態１等の情報記録装置によって記録された前記コンテンツリストに基づいて、コンテンツを再生する装置の例である。
【０１６９】
図１１において、記録媒体９００は、映像や音声などを含むコンテンツを記録する例えばミニディスクなどの記録媒体であり、コンテンツとともに上記の実施形態１等の情報記録装置によって前記コンテンツリストが記録されている。
【０１７０】
（情報再生装置７００の構成）
情報再生装置７００は、図１１に示すように信号読み取り部７０１、復号化部７０２、出力部７０３、出力装置７０４、ＣＰＵ７０５、および検索情報入力部７０６を備えて構成されている。
【０１７１】
信号読み取り部７０１は、記録媒体９００内に記録されているコンテンツの内容を読み取るようになっている。
【０１７２】
復号化部７０２は、信号読み取り部７０１で読みとったコンテンツを復号化（デコード）するようになっている。
【０１７３】
出力部７０３は、復号化部７０２でデコードされたコンテンツを出力装置７０４に送信するようになっている。
【０１７４】
出力装置７０４は、例えばテレビやスピーカなど、デコードされたコンテンツを出力する装置である。
【０１７５】
ＣＰＵ７０５は、本装置全体の制御を司るメインマイコン（ＣＰＵ）である。ＣＰＵ７０５は、具体的にはコンテンツ再生部７０５ａ、コンテンツリスト管理部７０５ｂ、選択情報検索部７０５ｃ、検索優先度指定部７０５ｄ、検索情報範囲指定部７０５ｅ、および検索リスト範囲指定部７０５ｆを備えて構成されている。
【０１７６】
コンテンツ再生部７０５ａは、信号読み取り部７０１、復号化部７０２、および出力部７０３を制御することで、記録媒体９００内に記録されたコンテンツを出力装置７０４に出力するようになっている。
【０１７７】
コンテンツリスト管理部７０５ｂは、記録媒体９００内に記録された複数のコンテンツリストを読み取って記憶し、各コンテンツリスト内のコンテンツ選択情報を一元的に管理するようになっている。また、コンテンツリスト管理部７０５ｂは、任意のコンテンツリストに基づき、コンテンツ再生部７０５ａを用いてコンテンツを再生できる他に、選択情報検索部７０５ｃが選択したコンテンツ選択情報に基づいて、コンテンツ再生部７０５ａを用いてコンテンツを再生できるようになっている。
【０１７８】
選択情報検索部７０５ｃは、検索情報入力部７０６を介して使用者から入力された検索情報（例えば検索キーワード）に基づいて、コンテンツリスト管理部７０５ｂ内に記憶されているコンテンツリストを検索して、検索情報と一致または類似するコンテンツ選択情報を選択するようになっている。この検索は、検索キーワードを１文字毎にコンテンツ選択情報と比較し、すべて一致もしくは一致した文字数の多いもの（すなわち類似するもの）を選択することで実現できる。
【０１７９】
また、選択情報検索部７０５ｃは、後述するように検索優先度指定部７０５ｄから指定された優先度や、検索情報範囲指定部７０５ｅや検索リスト範囲指定部７０５ｆで指定された検索範囲を示す情報（これらも検索情報と呼ぶ）に基づいて、検索する内容を絞り込むようになっている。また、選択情報検索部７０５ｃは、複数の検索情報が与えられた場合には、これらの複数の検索情報に基づいて、検索を行うようになっている。
【０１８０】
検索優先度指定部７０５ｄは、コンテンツリスト管理部７０５ｂ内のコンテンツリストに対する検索の優先度を選択情報検索部７０５ｃに対して指定するようになっている。
【０１８１】
検索情報範囲指定部７０５ｅは、コンテンツリスト管理部７０５ｂ内のコンテンツリストについて、どのコンテンツリストを検索対象とするかを選択情報検索部７０５ｃに対して指定するようになっている。
【０１８２】
検索リスト範囲指定部７０５ｆは、検索対象のコンテンツリスト内のどの範囲の情報に対して検索を行うかを選択情報検索部７０５ｃに対して指定するようになっている。
【０１８３】
検索情報入力部７０６は、キースイッチ７０６ａとサブマイコン７０６ｂとを備えて構成される。
【０１８４】
キースイッチ７０６ａは、前記検索情報の入力を受け付けるようになっている。例えば、使用者がコンテンツリストの優先度を入力するには、使用者がコンテンツリスト管理部７０５ｂで管理されているコンテンツリストの一覧をディスプレイ等のＯＳＤ（Ｏｎ  Ｓｃｒｅｅｎ  Ｄｉｓｐｌａｙ）で確認し、キースイッチ７０６ａを使用して優先順位を１から昇順で入力することで実現できる。
【０１８５】
また、使用者が検索対象のコンテンツリストを入力するには、使用者が例えばコンテンツリスト管理部７０５ｂで管理されているコンテンツリストの一覧をディスプレイ等のＯＳＤで確認し、キースイッチ７０６ａを使用して検索を行いたいコンテンツリストを選択することで実現できる。
【０１８６】
また、使用者が検索対象の情報範囲を入力するには、使用者が例えばコンテンツリスト管理部７０５ｂで管理されているコンテンツリスト内のコンテンツ選択情報の一覧をディスプレイ等のＯＳＤで確認し、キースイッチ７０６ａを使用して検索を行いたいコンテンツ選択情報を選択することで実現できる。
【０１８７】
サブマイコン７０６ｂは、キースイッチ７０６ａから入力された情報をＣＰＵ７０５に送信するようになっている。
【０１８８】
（情報再生装置７００の動作）
上記の情報再生装置７００では、使用者が自分の再生したいコンテンツリストを検索するための検索キーワードをキースイッチ７０６ａを用いて入力すると、入力された検索キーワードは、サブマイコン７０６ｂにより選択情報検索部７０５ｃに送られる。同時にサブマイコン７０６ｂは、コンテンツリスト管理部７０５ｂに対し、コンテンツリストの情報取得を指示する。
【０１８９】
コンテンツリスト管理部７０５ｂは、コンテンツ再生部７０５ａに対し、記録媒体９００内のすべてのコンテンツリスト内容の取得を指示する。コンテンツ再生部７０５ａは、信号読み取り部７０１および復号化部７０２を制御して、記録媒体９００内のコンテンツリストの内容をコンテンツリスト管理部７０５ｂに送信する。
【０１９０】
使用者は、コンテンツリスト管理部７０５ｂで管理されているコンテンツリストについて、キースイッチ７０６ａを使用して、検索の優先度を指定することができる。使用者が優先度を指定している場合には、検索優先度指定部７０５ｄは、指定された優先度の情報を選択情報検索部７０５ｃに対する検索情報として追加する。
【０１９１】
また、使用者は、コンテンツリスト管理部７０５ｂで管理されているコンテンツリストについて、キースイッチ７０６ａを使用して検索を行うコンテンツリストを指定することができる。使用者が検索対象のコンテンツリストを指定している場合には、検索情報範囲指定部７０５ｅは、コンテンツリストを指定する情報を選択情報検索部７０５ｃに対する検索情報として追加する。
【０１９２】
また、使用者は、コンテンツリスト管理部７０５ｂで管理されているコンテンツリスト内のコンテンツ選択情報ついて、キースイッチ７０６ａを使用して検索を行うコンテンツ選択情報を指定することができる。使用者がコンテンツ選択情報の検索範囲を指定している場合には、検索リスト範囲指定部７０５ｆは、その範囲を示す情報を選択情報検索部７０５ｃに対する検索情報として追加する。
【０１９３】
選択情報検索部７０５ｃは、使用者より入力された検索キーワードとコンテンツリスト管理部７０５ｂ内のコンテンツ選択情報を比較してコンテンツリストを検索し、一致または類似するコンテンツ選択情報を選択する。この際、検索優先度指定部７０５ｄ、検索情報範囲指定部７０５ｅ、検索リスト範囲指定部７０５ｆから与えられた優先度や検索範囲に基づいて、検索対象が絞り込まれる。
【０１９４】
コンテンツリスト管理部７０５ｂは、選択情報検索部７０５ｃで選択されたコンテンツ選択情報に基づいて、コンテンツ再生部７０５ａを用いてコンテンツを再生する。なお、コンテンツリスト内のコンテンツ再生終了毎に選択情報検索部７０５ｃを再度動作させることにより、連続して記録媒体９００内の複数のコンテンツリストの検索を行い、連続自動再生を行うことが可能となる。
【０１９５】
上記のように本実施形態によれば、使用者が指定した検索情報に基づいて、検索内容が絞られるので、容易に使用者の意図するコンテンツを選択することが可能になる。
【０１９６】
なお、選択情報検索部７０５ｃでの検索の結果、一致する情報も類似する情報も検索できなかった場合には、例えば現在再生中のコンテンツ、または過去に再生したコンテンツに対応するコンテンツリストに存在する別のコンテンツ選択情報を用いて、コンテンツを再生するようにしてもよい。
【０１９７】
《発明の実施形態６》
図１２は、本発明の実施形態６に係る情報再生装置８００の構成を示すブロック図である。なお、本実施形態においては、各コンテンツリストには、そのコンテンツリストが再生に用いられた回数（以下、コンテンツリスト使用回数という）、各再生時刻（１時間単位の時刻）におけるコンテンツリスト使用回数の積算値（以下、単に積算回数という）、およびサラウンド効果の有無や、主音声と副音声の切り替え情報などの出力音声効果の音声設定を示す情報（以下、音声設定情報という）がコンテンツリストの属性値として含まれているものとする。
【０１９８】
（情報再生装置８００の構成）
情報再生装置８００は、図１２に示すように、情報再生装置７００の信号読み取り部７０１に代えて信号読み取り／書き込み部８０１、さらにＣＰＵ７０５に代えてＣＰＵ８０５を備えて構成されている。
【０１９９】
信号読み取り／書き込み部８０１は、信号読み取り部７０１の機能に加え、コンテンツリスト管理部８０５ｂが記憶しているコンテンツリストを記録媒体９００に記録するようになっている。なお、コンテンツリストの記録媒体９００への記録は、コンテンツ再生／記録部８０５ａの制御（後述）の下に行われる。
【０２００】
ＣＰＵ８０５は、コンテンツ再生／記録部８０５ａ、コンテンツリスト管理部８０５ｂ、選択情報検索部７０５ｃ、再生回数取得部８０５ｇ、時計８０５ｈ、積算回数取得部８０５ｉ、および設定情報取得部８０５ｊを備えて構成されている。
【０２０１】
コンテンツ再生／記録部８０５ａは、信号読み取り／書き込み部８０１、復号化部７０２、および出力部７０３を制御することで、記録媒体９００内に記録されたコンテンツを出力装置７０４に出力するようになっている。また、コンテンツ再生／記録部８０５ａは、信号読み取り／書き込み部８０１を制御して、後述するようにコンテンツリスト管理部８０５ｂが記憶しているコンテンツリストを、記録媒体９００に記録するようになっている。
【０２０２】
コンテンツリスト管理部８０５ｂは、記録媒体９００内に記録された複数のコンテンツリストを読み取って記憶し、各コンテンツリスト内のコンテンツ選択情報を一元的に管理するようになっている。また、コンテンツリスト管理部８０５ｂは、任意のコンテンツリストに基づき、コンテンツ再生部７０５ａを用いてコンテンツを再生できる他に、使用者が指定した再生モード（後述）に応じて選択したコンテンツをコンテンツ再生部７０５ａを用いて再生できるようになっている。
【０２０３】
本実施形態で使用者が指定できる再生モードは、過去のコンテンツリスト使用回数が多いコンテンツリストから順に使用してコンテンツを再生するモード、再生時刻に応じてコンテンツリストを選択して再生するモード、および過去と同じ音声設定で、選択したコンテンツリストを使用して再生するモードの３つである。何れのモードで再生を行うかは、使用者がキースイッチ７０６ａを使用して指定する。
【０２０４】
再生回数取得部８０５ｇは、コンテンツリスト管理部８０５ｂで管理されているコンテンツリストに含まれたコンテンツリスト使用回数を取得して、コンテンツリスト管理部８０５ｂに送信するようになっている。また、再生回数取得部８０５ｇは、コンテンツリストを用いて再生がされた際には、コンテンツリスト管理部８０５ｂ内のコンテンツリストのうちの再生に使用されたコンテンツリストに対し、コンテンツリスト使用回数が１増えるように属性値を更新するとともに、属性値を更新したコンテンツリストを信号読み取り／書き込み部８０１を用いて記録媒体９００に記録するようになっている。
【０２０５】
時計８０５ｈは、現在の時刻を積算回数取得部８０５ｉに出力するようになっている。
【０２０６】
積算回数取得部８０５ｉは、コンテンツリスト管理部８０５ｂで管理されているコンテンツリストの属性値から前記積算回数を取得して、コンテンツリスト管理部８０５ｂに送信するようになっている。また、積算回数取得部８０５ｉは、コンテンツリストを用いて再生がされた際には、コンテンツリスト管理部８０５ｂ内のコンテンツリストのうちの再生に使用されたコンテンツリストに対し、積算回数が１増えるように属性値を更新するとともに、属性値を更新したコンテンツリストを信号読み取り／書き込み部８０１を用いて記録媒体９００に記録するようになっている。
【０２０７】
設定情報取得部８０５ｊは、コンテンツリスト管理部８０５ｂで管理されているコンテンツリストに含まれたコンテンツリストの属性値から音声設定情報を取得して、コンテンツリスト管理部８０５ｂに送信するようになっている。また、コンテンツの再生中に、使用者が音声設定を変更した場合は、コンテンツリスト管理部８０５ｂで管理されている当該コンテンツリストの属性値に含まれる音声設定情報を、現在の音声設定情報に更新し、属性値を更新したコンテンツリストを信号読み取り／書き込み部８０１を用いて記録媒体９００に記録するようになっている。
【０２０８】
（情報再生装置８００の動作）
使用者がキースイッチ７０６ａを通して再生を開始を指示すると、情報再生装置８００では、コンテンツ再生／記録部８０５ａが信号読み取り／書き込み部８０１と復号化部７０２とを制御して、記録媒体９００内のコンテンツリストの内容をコンテンツリスト管理部８０５ｂに送信する。
【０２０９】
過去のコンテンツリスト使用回数が多いコンテンツリストから順に使用してコンテンツを再生するモードを使用者が指示している場合には、再生回数取得部８０５ｇは、コンテンツリスト管理部８０５ｂ内のすべてのコンテンツリストから前記コンテンツリスト使用回数を取得して、コンテンツリスト管理部８０５ｂに送信する。コンテンツリスト管理部８０５ｂは、コンテンツリスト使用回数の多いコンテンツリストから順に使用して再生を開始する。これにより、過去に使用された回数の多いコンテンツリストから順に使用されて、コンテンツの再生が行われる。
【０２１０】
この際、再生回数取得部８０５ｇは、再生に使用したコンテンツリストの属性値のうちのコンテンツリスト使用回数を１増やし、そのコンテンツリストを信号読み取り／書き込み部８０１を用いて記録媒体９００に記録する。これにより、そのコンテンツリストが再生に使用された回数がコンテンツリストの属性値に反映されて、次回の再生時に最新の情報を使用することが可能となる。
【０２１１】
また、再生時刻に応じてコンテンツリストを選択して再生するモードを使用者が指示している場合には、積算回数取得部８０５ｉは、時計８０５ｈから現在の時刻情報を取得してコンテンツリスト管理部８０５ｂに送信する。同時に積算回数取得部８０５ｉは、コンテンツリスト管理部８０５ｂ内のすべてのコンテンツリストから積算回数を取得してコンテンツリスト管理部８０５ｂに送信する。コンテンツリスト管理部８０５ｂは、現在の時刻と相応したコンテンツを再生する。具体的には、コンテンツリスト管理部８０５ｂは、現在の時刻と同時刻に再生に使用されたコンテンツリストのうち、前記積算回数が最も多いものから順に選択して再生に使用する。
【０２１２】
この際、積算回数取得部８０５ｉは、再生に使用したコンテンツリストの属性値のうち、現在時刻に対応したの積算回数を１増やして内容を更新するとともに、そのコンテンツリストを信号読み取り／書き込み部８０１を用いて記録媒体９００に記録する。これにより、コンテンツリストの属性値が更新されて、次回の再生時に最新の情報を使用することが可能となる。
【０２１３】
また、過去と同じ音声設定で選択したコンテンツリストを使用した再生するモードを使用者が指示している場合には、設定情報取得部８０５ｊは再生に使用するコンテンツリストに含まれた音声設定情報をコンテンツリスト管理部８０５ｂを介してコンテンツ再生／記録部８０５ａに送信する。コンテンツ再生／記録部８０５ａは、送信された音声設定情報にあわせて音声設定を行う。これにより、そのコンテンツリスト対応したコンテンツは、いつでも同じ音声設定で再生することが可能になる。
【０２１４】
この際、コンテンツの再生中に使用者が音声設定を変更した場合は、当該コンテンツに対応するコンテンツリストに含まれる音声設定情報を現在の音声設定情報に更新し、そのコンテンツリストを信号読み取り／書き込み部８０１を用いて記録媒体９００に記録する。これにより、現在の音声設定情報がコンテンツリストの属性値に反映されて、次回の再生時に最新の音声設定情報を使用することが可能となる。
【０２１５】
上記のように、本実施形態によれば、もっともよく聞く順番や、逆にあまり聞かない順番での再生や、例えば朝や就寝前などその時刻にあったコンテンツの再生や、過去に設定した音声設定と同じ設定での再生など、使用者が過去に使用した状況を判断し、もっとも意図するコンテンツを自動的に再生することが可能となる。
【０２１６】
なお、コンテンツリストを記録媒体に記録する手段を装置内に持たない再生専用装置であっても、他の情報記録装置でコンテンツリストの属性値を更新することにより、同様の再生を行うことが可能となる。
【０２１７】
また、当該装置内に別の記憶装置を搭載し、その記憶装置にコンテンツリストを保持するようにすれば、コンテンツが記録されている記録媒体（記録媒体９００）に記憶ができない場合や、再生専用装置であっても、当該装置で再生した際の音声設定情報などを次回の再生時に利用することが可能となる。
【０２１８】
また、実施形態１〜４の情報記録装置に、コンテンツリスト記録用としてメモリカードなどの別の記憶装置を搭載すれば、コンテンツが記録されている記録媒体を書き換えられない場合などでも、これらの情報記録装置で記録された記録媒体を実施形態５または実施形態６の情報再生装置で再生を行う場合に有用である。
【０２１９】
また、実施形態１〜４の情報記録装置の何れかと、実施形態５または実施形態６の情報再生装置とを組み合わせて、情報の記録と再生の双方が可能な情報記録再生装置として構成してもよい。
【産業上の利用可能性】
【０２２０】
本発明に係る情報記録装置、情報記録方法、情報再生装置、情報再生方法、および情報記録再生装置は、コンテンツリストが複数設けられることにより、１つのコンテンツリストに含まれる情報の量を減らすことができるので、コンテンツの記録媒体への記録後に行われる再生や編集の際にコンテンツの選択を容易に行うことが可能になるという効果を有し、入力された音声や映像が含まれたコンテンツをメモリカードやミニディスク等の記録媒体に記録する情報記録装置や、このようにして記録された記録媒体を再生する情報再生装置等、として有用である。
【図面の簡単な説明】
【０２２１】
【図１】本発明の実施形態１に係る情報記録装置の構成を示すブロック図である。
【図２】本発明の実施形態１に係る情報記録装置の動作を示すフローチャートである。
【図３】本発明の実施形態２に係る情報記録装置の構成を示すブロック図である。
【図４】本発明の実施形態２に係る情報記録装置の動作を示すフローチャートである。
【図５】本発明の実施形態３に係る情報記録装置の構成を示すブロック図である。
【図６】本発明の実施形態３に係る情報記録装置の動作を示すフローチャートである。
【図７】本発明の実施形態４に係る情報記録装置の構成を示すブロック図である。
【図８】本発明の実施形態４に係る情報記録装置の動作を示すフローチャートである。
【図９】従来の情報記録装置の構成を示すブロック図である。
【図１０】従来の情報記録装置の動作を示すフローチャートである。
【図１１】本発明の実施形態５に係る情報再生装置の構成を示すブロック図である。
【図１２】本発明の実施形態６に係る情報再生装置の構成を示すブロック図である。
【符号の説明】
【０２２２】
１００      情報記録装置
１０１      信号読み取り部
１０２      復号化部
１０３      書き込み部
１０４      記録媒体
１０５      ＣＰＵ
１０５ａ    ディスク再生部
１０５ｂ    書き込み制御部
１０５ｃ    コンテンツリスト管理部
１０６      記録制御操作部
１０６ａ    キースイッチ
１０６ｂ    サブマイコン
２００      情報記録装置
２０５      ＣＰＵ
２０５ｃ    コンテンツリスト管理部
２０５ｄ    ディスクタグ読み取り部
２０５ｅ    記録媒体タグ読み取り部
３００      情報記録装置
３０５      ＣＰＵ
３０５ｃ    コンテンツリスト管理部
３０７      音声データ解析部
４００      情報記録装置
４０６      記録制御操作部
４０６ｃ    属性情報入力部
５００      情報記録装置
５０１      信号読み取り部
５０２      復号化部
５０３      書き込み部
５０４      ＣＰＵ
５０４ａ    ディスク再生部
５０４ｂ    書き込み制御部
５０５      記録制御操作部
５０５ａ    キースイッチ
５０５ｂ    サブマイコン
５０６      記録媒体
５１０      光ディスク
６００      光ディスク
７００      情報再生装置
７０１      信号読み取り部
７０２      復号化部
７０３      出力部
７０４      出力装置
７０５      ＣＰＵ
７０５ａ    コンテンツ再生部
７０５ｂ    コンテンツリスト管理部
７０５ｃ    選択情報検索部
７０５ｄ    検索優先度指定部
７０５ｅ    検索情報範囲指定部
７０５ｆ    検索リスト範囲指定部
７０６      検索情報入力部
７０６ａ    キースイッチ
７０６ｂ    サブマイコン
８００      情報再生装置
８０１      信号読み取り／書き込み部
８０５      ＣＰＵ
８０５ａ    コンテンツ再生／記録部
８０５ｂ    コンテンツリスト管理部
８０５ｇ    再生回数取得部
８０５ｈ    時計
８０５ｉ    積算回数取得部
８０５ｊ    設定情報取得部
９００      記録媒体
【図１】
2006196145.tif 000003
【図２】
2006196145.tif 000004
【図３】
2006196145.tif 000005
【図４】
2006196145.tif 000006
【図５】
2006196145.tif 000007
【図６】
2006196145.tif 000008
【図７】
2006196145.tif 000009
【図８】
2006196145.tif 000010
【図９】
2006196145.tif 000011
【図１０】
2006196145.tif 000012
【図１１】
2006196145.tif 000013
【図１２】
2006196145.tif 000014